(57)【要約】【課題】動的注入の密実効果を注入範囲外に逃さない複合式脈状地盤改良工法を提供する。【解決手段】複合式脈状地盤改良工法において、地盤改良前に注入対象範囲の近傍に変位を拘束する壁を造成又は設置することにより、動的注入の密実効果を注入範囲外に逃さないようにする複合式脈状地盤改良工法であって、前記注入対象範囲の上部に薬液注入工による上部変位を拘束する壁を造成又は設置する。【選択図】  図１
2018031134.tif 000002
【特許請求の範囲】
【請求項１】
地盤改良前に注入対象範囲の近傍に変位を拘束する壁を造成又は設置することにより、動的注入の密実効果を注入範囲外に逃さないようにする複合式脈状地盤改良工法であって、前記注入対象範囲の上部に薬液注入工による上部変位を拘束する壁を造成又は設置することを特徴とする複合式脈状地盤改良工法。
【請求項２】
請求項１記載の複合式脈状地盤改良工法であって、前記注入対象範囲の上部に浅層混合処理工による厚さ１．０ｍ以下の前記注入対象範囲の上部変位を拘束する壁を造成又は設置することを特徴とする複合式脈状地盤改良工法。
【請求項３】
請求項１記載の複合式脈状地盤改良工法であって、前記注入対象範囲の上部の地表面混合処理工による前記注入対象範囲の上部変位を拘束する壁を造成又は設置することを特徴とする複合式脈状地盤改良工法。
【請求項４】
請求項１記載の複合式脈状地盤改良工法であって、前記注入対象範囲の上部にインゴットを配置し、前記注入対象範囲の上部変位を拘束する上載荷重を印加することを特徴とする複合式脈状地盤改良工法。
【請求項５】
地盤改良前に注入対象範囲の近傍に変位を拘束する壁を造成又は設置することにより、動的注入の密実効果を注入範囲外に逃さないようにする複合式脈状地盤改良工法であって、前記注入対象範囲の側部に前記注入対象範囲の側部変位を拘束する壁を造成又は設置することを特徴とする複合式脈状地盤改良工法。
【請求項６】
請求項５記載の複合式脈状地盤改良工法であって、前記注入対象範囲の側部に薬液注入工による前記注入対象範囲の側部変位を拘束する壁を造成又は設置することを特徴とする複合式脈状地盤改良工法。
【請求項７】
請求項５記載の複合式脈状地盤改良工法であって、前記注入対象範囲の側部に高圧噴射工による前記注入対象範囲の側部変位を拘束する壁を造成又は設置することを特徴とする複合式脈状地盤改良工法。
【請求項８】
請求項５記載の複合式脈状地盤改良工法であって、前記注入対象範囲の側部に機械攪拌工による前記注入対象範囲の側部変位を拘束する壁を造成又は設置することを特徴とする複合式脈状地盤改良工法。
【請求項９】
請求項５記載の複合式脈状地盤改良工法であって、前記注入対象範囲の側部にシートパイル工による前記注入対象範囲の側部変位を拘束する壁を造成又は設置することを特徴とする複合式脈状地盤改良工法。
【請求項１０】
地盤改良前に注入対象範囲の近傍に変位を拘束する壁を造成又は設置することにより、動的注入の密実効果を注入範囲外に逃さないようにする複合式脈状地盤改良工法であって、前記注入対象範囲の底部に前記注入対象範囲の底部変位を拘束する壁を造成又は設置することを特徴とする複合式脈状地盤改良工法。
【請求項１１】
請求項１０記載の複合式脈状地盤改良工法であって、前記注入対象範囲の底部に薬液注入工による前記注入対象範囲の底部変位を拘束する壁を造成又は設置することを特徴とする複合式脈状地盤改良工法。
【請求項１２】
請求項１０記載の複合式脈状地盤改良工法であって、前記注入対象範囲の底部に高圧噴射工による前記注入対象範囲の底部変位を拘束する壁を造成又は設置することを特徴とする複合式脈状地盤改良工法。
【請求項１３】
地盤改良前に注入対象範囲の近傍に変位を拘束する壁を造成又は設置することにより、動的注入の密実効果を注入範囲外に逃さないようにする複合式脈状地盤改良工法であって、前記注入対象範囲の上部および側部に前記注入対象範囲の上部および側部変位を拘束する壁を造成又は設置することを特徴とする複合式脈状地盤改良工法。
【請求項１４】
請求項１３記載の複合式脈状地盤改良工法であって、前記注入対象範囲の上部および側部にインゴットおよびシートパイル工による前記注入対象範囲の上部および側部変位を拘束する壁を造成又は設置することを特徴とする複合式脈状地盤改良工法。
【請求項１５】
地盤改良前に注入対象範囲の近傍に変位を拘束する壁を造成又は設置することにより、動的注入の密実効果を注入範囲外に逃さないようにする複合式脈状地盤改良工法であって、前記注入対象範囲の上部、側部および底部に前記注入対象範囲の上部、側部および底部変位を拘束する壁を造成又は設置することを特徴とする複合式脈状地盤改良工法。
【請求項１６】
請求項１５記載の複合式脈状地盤改良工法であって、注入対象範囲の上部、側部および底部にインゴットおよびシートパイル工による前記注入対象範囲の上部、側部および底部変位を拘束する壁を造成又は設置することを特徴とする複合式脈状地盤改良工法。
【発明の詳細な説明】
【技術分野】
【０００１】
本発明は、液状化地盤・軟弱地盤等の効率的な対策工法に関するものである。
【背景技術】
【０００２】
図１４は従来の脈状地盤改良工法による液状化対策の模式図、図１５はその脈状地盤改良工の注入範囲（液状化対策範囲）を示す模式図である。
【０００３】
これらの図において、２０１は液状化層、２０２は改良脈（改良脈の押し広げによる周辺地盤の密実化）、２０３は既設構造物、３０１は脈状地盤改良工の注入範囲（脈状化対策範囲）、３０２は脈状地盤改良工を示している。
【０００４】
このように、脈状地盤改良工は、薬液注入工法の一つであり、薬液の動的注入により地盤を密実化し、強度増大を期待した対策工である。この対策工の対策効果を示す有効注入量（密実効果に関与した注入量）は、事前・事後の地盤物性より算出される。その有効注入量は実施注入量（実際に注入した量）の１／２程度となることが、施工試験等により確認されている。両者の差が大きい程、この対策工の効率性は下がり、コスト的にも割高となる。
【先行技術文献】
【特許文献】
【０００５】
【特許文献１】特開２０１５−２０３２４３号公報
【特許文献２】特開２０１４−０５１８５２号公報
【特許文献３】特開２０１４−０１２９５２号公報
【特許文献４】特開２０１４−０１２９７８号公報
【非特許文献】
【０００６】
【非特許文献１】「脈状注入工法による液状化対策の提案」、第５０回地盤工学研究発表会（札幌）、（２０１５年９月）. ｐｐ. １７９１〜１７９２
【非特許文献２】「脈状注入による液状化対策効果の評価手法に関する検討」、第５０回地盤工学研究発表会（札幌）、（２０１５年９月）. ｐｐ. １７９３〜１７９４
【非特許文献３】「脈状注入改良地盤の品質確認手法に関する検討」、第５０回地盤工学研究発表会（札幌）、（２０１５年９月）. ｐｐ. １７９５〜１７９６
【発明の概要】
【発明が解決しようとする課題】
【０００７】
上記したような注入効果減少の原因は、薬液の注入範囲外（対策を必要としない範囲）への密実効果の伝播等の影響が考えられる。
【０００８】
本発明は、上記状況に鑑みて、薬液の動的注入による密実効果を注入範囲外に逃さない複合式脈状地盤改良工法を提供することを目的とする。
【課題を解決するための手段】
【０００９】
本発明は、上記目的を達成するために、
〔１〕複合式脈状地盤改良工法において、地盤改良前に注入対象範囲の近傍に変位を拘束する壁を造成又は設置することにより、動的注入の密実効果を注入範囲外に逃さないようにする複合式脈状地盤改良工法であって、前記注入対象範囲の上部に薬液注入工による上部変位を拘束する壁を造成又は設置することを特徴とする。
【００１０】
〔２〕上記〔１〕記載の複合式脈状地盤改良工法であって、前記注入対象範囲の上部に浅層混合処理工による厚さ１．０ｍ以下の前記注入対象範囲の上部変位を拘束する壁を造成又は設置することを特徴とする。
【００１１】
〔３〕上記〔１〕記載の複合式脈状地盤改良工法であって、前記注入対象範囲の上部の地表面混合処理工による前記注入対象範囲の上部変位を拘束する壁を造成又は設置することを特徴とする複合式脈状地盤改良工法。
【００１２】
〔４〕上記〔１〕記載の複合式脈状地盤改良工法であって、前記注入対象範囲の上部にインゴットを配置し、前記注入対象範囲の上部変位を拘束する上載荷重を印加することを特徴とする。
【００１３】
〔５〕地盤改良前に注入対象範囲の近傍に変位を拘束する壁を造成又は設置することにより、動的注入の密実効果を注入範囲外に逃さないようにする複合式脈状地盤改良工法であって、前記注入対象範囲の側部に前記注入対象範囲の側部変位を拘束する壁を造成又は設置することを特徴とする。
【００１４】
〔６〕上記〔５〕記載の複合式脈状地盤改良工法であって、前記注入対象範囲の側部に薬液注入工による前記注入対象範囲の側部変位を拘束する壁を造成又は設置することを特徴とする。
【００１５】
〔７〕上記〔５〕記載の複合式脈状地盤改良工法であって、前記注入対象範囲の側部に高圧噴射工による前記注入対象範囲の側部変位を拘束する壁を造成又は設置することを特徴とする。
【００１６】
〔８〕上記〔５〕記載の複合式脈状地盤改良工法であって、前記注入対象範囲の側部に機械攪拌工による前記注入対象範囲の側部変位を拘束する壁を造成又は設置することを特徴とする。
【００１７】
〔９〕上記〔５〕記載の複合式脈状地盤改良工法であって、前記注入対象範囲の側部にシートパイル工による前記注入対象範囲の側部変位を拘束する壁を造成又は設置することを特徴とする。
【００１８】
〔１０〕地盤改良前に注入対象範囲の近傍に変位を拘束する壁を造成又は設置することにより、動的注入の密実効果を注入範囲外に逃さないようにする複合式脈状地盤改良工法であって、前記注入対象範囲の底部に前記注入対象範囲の底部変位を拘束する壁を造成又は設置することを特徴とする。
【００１９】
〔１１〕上記〔１０〕記載の複合式脈状地盤改良工法であって、前記注入対象範囲の底部に薬液注入工による前記注入対象範囲の底部変位を拘束する壁を造成又は設置することを特徴とする。
【００２０】
〔１２〕上記〔１０〕記載の複合式脈状地盤改良工法であって、前記注入対象範囲の底部に高圧噴射工による前記注入対象範囲の底部変位を拘束する壁を造成又は設置することを特徴とする。
【００２１】
〔１３〕地盤改良前に注入対象範囲の近傍に変位を拘束する壁を造成又は設置することにより、動的注入の密実効果を注入範囲外に逃さないようにする複合式脈状地盤改良工法であって、前記注入対象範囲の上部および側部に前記注入対象範囲の上部および側部変位を拘束する壁を造成又は設置することを特徴とする。
【００２２】
〔１４〕上記〔１３〕記載の複合式脈状地盤改良工法であって、前記注入対象範囲の上部および側部にインゴットおよびシートパイル工による前記注入対象範囲の上部および側部変位を拘束する壁を造成又は設置することを特徴とする。
【００２３】
〔１５〕地盤改良前に注入対象範囲の近傍に変位を拘束する壁を造成又は設置することにより、動的注入の密実効果を注入範囲外に逃さないようにする複合式脈状地盤改良工法であって、前記注入対象範囲の上部、側部および底部に前記注入対象範囲の上部、側部および底部変位を拘束する壁を造成又は設置することを特徴とする。
【００２４】
〔１６〕上記〔１５〕記載の複合式脈状地盤改良工法であって、注入対象範囲の上部、側部および底部にインゴットおよびシートパイル工による前記注入対象範囲の上部、側部および底部変位を拘束する壁を造成又は設置することを特徴とする。
【発明の効果】
【００２５】
本発明によれば、次のような効果を奏することができる。
【００２６】
（Ａ）注入対象範囲外への注入効果の伝播が減少し、注入対象範囲内を効率的かつ経済的に対策工を施工することが可能となり、現場条件によっては工期の短縮にも繋がる。
【００２７】
（Ｂ）上部地盤を拘束または上載荷重を加えることにより、脈状注入時の地表面変位量を抑制することも可能である。
【００２８】
（Ｃ）側部拘束についても注入対象範囲外への薬液の逸走を防ぐとともに、注入対象範囲への密実効果を高めることができる。
【００２９】
（Ｄ）上部および側部拘束についても注入範囲外への薬液の逸走を防ぐとともに、注入対象範囲への密実効果を高めることができる。
【００３０】
（Ｅ）さらに、上部、側部および底部拘束についても注入範囲外への薬液の逸走を防ぐとともに、注入対象範囲への密実効果を高めることができる。
【図面の簡単な説明】
【００３１】
【図１】本発明の実施例を示す上部薬液注入工（注入範囲上部）を示す模式図である。
【図２】本発明の実施例を示す上部浅層混合処理工（範囲上部〜１．０ｍ程度）（セメント改良）を示す模式図である。
【図３】本発明の実施例を示す底部薬液注入工（注入範囲底部）を示す模式図である。
【図４】本発明の実施例を示す底部高圧噴射工（注入範囲底部）を示す模式図である。
【図５】本発明の実施例を示す上部表層混合処理工（地表面〜１．０ｍ程度）（セメント改良）を示す模式図である。
【図６】本発明の実施例を示す上部浅層混合処理工（全層）（セメント改良）（範囲上部〜地表面）を示す模式図である。
【図７】本発明の実施例を示す上部インゴット（上載荷重）を示す模式図である。
【図８】本発明の実施例を示す側部薬液注入工（注入範囲側部）を示す模式図である。
【図９】本発明の実施例を示す側部高圧噴射工（注入範囲側部）を示す模式図である。
【図１０】本発明の実施例を示す側部機械攪拌工（注入範囲側部）を示す模式図である。
【図１１】本発明の実施例を示すシートパイル工（注入範囲側部）を示す模式図である。
【図１２】本発明の実施例を示す上部薬注と側部薬注を示す模式図である。
【図１３】本発明の実施例を示す上部荷重と側部シートパイルを示す模式図である。
【図１４】従来の脈状地盤改良工法による脈状化対策の模式図である。
【図１５】従来の脈状地盤改良工の注入範囲（脈状化対策範囲）を示す模式図である。
【発明を実施するための形態】
【００３２】
本発明の複合式脈状地盤改良工法は、地盤改良前に注入対象範囲の上部、側部および底部に変位を拘束する壁を造成又は設置することにより、動的注入の密実効果を注入範囲外に逃さないようにする。
【実施例】
【００３３】
以下、本発明の実施の形態について詳細に説明する。
【００３４】
本発明の実施ケースの例として、変位の拘束方法を上部と側部と底部に区分して表１に示す。
【００３５】
【表１】
2018031134.tif 000003
【００３６】
表１（ａ）に示すように、注入対象範囲上部の有効土被り圧が小さい場合には、上部拘束が有効であり、有効土被り圧が大きい場合には、表１（ｂ）に示すように、側部拘束が有効であると考えられる。なお、側部拘束については、全側部拘束に限らない。例えば片側（１側面）のみの拘束であってもよい。拘束工施工の工期やコストとその対策効果を勘案し、単独、もしくは上部、側部および底部の組み合わせで実施する。
【００３７】
以下、実施例を図面を参照しながら説明する。施工順序としては、全てのケースにおいて、拘束工を実施後に脈状地盤改良工を施工する。
【００３８】
図１は本発明の実施例を示す上部薬液注入工（注入範囲上部）を示す模式図である。
【００３９】
この図において、１は薬液注入工（溶液系または懸濁系）、２は造成又は設置される上部構築物、３は脈状地盤改良工である。
【００４０】
図２は本発明の実施例を示す上部浅層混合処理工（範囲上部〜１．０ｍ程度）（セメント改良）を示す模式図である。
【００４１】
この図において、１１は上部浅層混合処理工、１２は浅層混合処理工（セメント改良）、１３は脈状地盤改良工（注入範囲上部）である。
【００４２】
図３は本発明の実施例を示す底部薬液注入工（注入範囲底部）を示す模式図である。
【００４３】
この図において、２１は底部薬液注入工（溶液系または懸濁系）、２２は造成又は設置される底部構築物、２３は脈状地盤改良工である。
【００４４】
図４は本発明の実施例を示す底部高圧噴射工（注入範囲底部）を示す模式図である。
【００４５】
この図において、３１は底部高圧噴射工、３２は造成又は設置される底部構築物、３３は脈状地盤改良工である。
【００４６】
図５は本発明の実施例を示す上部表層混合処理工（地表面〜１．０ｍ程度）（セメント改良）を示す模式図である。
【００４７】
この図において、４１は上部表層混合処理工、４２は表層混合処理工、４３は脈状地盤改良工である。
【００４８】
図６は本発明の実施例を示す上部浅層混合処理工（全層）（セメント改良）（範囲上部〜地表面）を示す模式図である。
【００４９】
この図において、５１は上部浅層混合処理工、５２は浅層混合処理工、５３は脈状地盤改良工である。
【００５０】
図７は本発明の実施例を示す上部インゴット（上載荷重）を示す模式図である。
【００５１】
この図において、６１は上部処理工、６２は鉄板６３上に配置されるインゴット、６４は脈状地盤改良工（上載荷重）である。
【００５２】
上記した図１から図７に示した実施例では、上部地盤を拘束または上載荷重を加えることにより、脈状注入時の地表面変位量を抑制することができる。
【００５３】
図８は本発明の実施例を示す側部薬液注入工（注入範囲側部）を示す模式図である。
【００５４】
この図において、７１は土被り圧が大きい薬液注入工、７２は薬液注入工（溶液系または懸濁系）、７３は側部薬液注入工である。
【００５５】
図９は本発明の実施例を示す側部高圧噴射工（注入範囲側部）を示す模式図である。
【００５６】
この図において、８１は土被り圧が大きい高圧噴射工、８２は側部高圧噴射工（注入範囲側部）、８３は脈状地盤改良工である。
【００５７】
図１０は本発明の実施例を示す側部機械攪拌工（注入範囲側部）を示す模式図である。
【００５８】
この図において、９１は土被り圧が大きい機械攪拌工、９２は側部機械攪拌工、９３は脈状地盤改良工である。
【００５９】
図１１は本発明の実施例を示すシートパイル工（注入範囲側部）を示す模式図である。
【００６０】
この図において、１０１は土被り圧が大きいシートパイル工、１０２はシートパイル工、１０３は脈状地盤改良工である。
【００６１】
上記した図８から図１１に示した実施例では、側部地盤を拘束を加えることにより、脈状注入時の側部の変位量を抑制することができる。
【００６２】
図１２は本発明の実施例を示す上部薬注と側部薬注を示す模式図である。
【００６３】
この図において、１１１は上部薬注と側部薬注、１１２は薬液注入工（溶液系または懸濁系）、１１３は脈状地盤改良工である。
【００６４】
図１３は本発明の実施例を示す上部荷重と側部シートパイル工を示す模式図である。
【００６５】
この図において、１２１は上部荷重と側部シートパイル、１２２は鉄板、１２３は鉄板１２２上に配置されるインゴット、１２４は側部シートパイル工、１２５は脈状地盤改良工である。
【００６６】
上記した図８から図１１に示した実施例では、側部地盤を拘束することにより、脈状注入時の側部変位量を抑制することができる。
【００６７】
上記した図１２および図１３に示した実施例では、上部および側部地盤を拘束することにより、脈状注入時の上部および側部変位量を抑制することができる。
【００６８】
なお、上部方法と側部方法の組み合わせを示すと表２のようになる。
【００６９】
【表２】
2018031134.tif 000004
【００７０】
すなわち、方法Ａ−１では、上部方法：薬液注入工（範囲上部）、側部方法：薬液注入工であり、方法Ａ−２では、上部方法：薬液注入工（範囲上部）、側部方法：高圧噴射工（セメント改良）であり、方法Ａ−３では、上部方法：薬液注入工（範囲上部）、側部方法：機械攪拌工（セメント改良）であり、方法Ａ−４では、上部方法：薬液注入工（範囲上部）、側部方法：シートパイル工であり、方法Ｂ−１では、上部方法：浅層混合処理工（範囲上部〜）、側部方法：薬液注入工であり、方法Ｂ−２では、上部方法：浅層混合処理工（範囲上部〜）、側部方法：高圧噴射工（セメント改良）であり、方法Ｂ−３では、上部方法：浅層混合処理工（範囲上部〜）、側部方法：機械攪拌工（セメント改良）であり、方法Ｂ−４では、上部方法：浅層混合処理工（範囲上部）、側部方法：シートパイル工であり、方法Ｃ−１では、上部方法：表層混合処理工（地表面〜）、側部方法：薬液注入工であり、方法Ｃ−２では、上部方法：表層混合処理工（地表面〜）、側部方法：高圧噴射工（セメント改良）であり、方法Ｃ−３では、上部方法：表層混合処理工（地表面〜）、側部方法：機械攪拌工（セメント改良）であり、方法Ｃ−４では、上部方法：浅層混合処理工（地表面〜）、側部方法：シートパイル工であり、方法Ｄ−１では、上部方法：浅層混合処理工（範囲上部〜地表面）、側部方法：薬液注入工であり、方法Ｄ−２では、上部方法：浅層混合処理工（範囲上部〜地表面）、側部方法：高圧噴射工（セメント改良）であり、方法Ｄ−３では、上部方法：浅層混合処理工（範囲上部〜地表面）、側部方法：機械攪拌工（セメント改良）であり、方法Ｄ−４では、上部方法：浅層混合処理工（範囲上部〜地表面）、側部方法：シートパイル工であり、方法Ｅ−１では、上部方法：鉄板−インゴット（上載荷重）、側部方法：薬液注入工であり、方法Ｅ−２では、上部方法：鉄板−インゴット（上載荷重）、側部方法：高圧噴射工（セメント改良）であり、方法Ｅ−３では、上部方法：鉄板−インゴット（上載荷重）、側部方法：機械攪拌工（セメント改良）であり、方法Ｅ−４では、上部方法：鉄板−インゴット（上載荷重）、側部方法：シートパイル工である。
【００７１】
また、上部方法と底部方法の組み合わせを示すと表３のようになる。
【００７２】
【表３】
2018031134.tif 000005
【００７３】
すなわち、方法Ａ−ａでは、上部方法：薬液注入工（範囲上部）、底部方法：薬液注入工であり、方法Ａ−ｂでは、上部方法：薬液注入工（範囲上部）、底部方法：高圧噴射工（セメント改良）であり、方法Ｂ−ａでは、上部方法：浅層混合処理工（範囲上部〜）、底部方法：薬液注入工であり、方法Ｂ−ｂでは、上部方法：浅層混合処理工（範囲上部〜）、底部方法：高圧噴射工（セメント改良）であり、方法Ｃ−ａでは、上部方法：表層混合処理工（地表面〜）、底部方法：薬液注入工であり、方法Ｃ−ｂでは、上部方法：表層混合処理工（地表面〜）、底部方法：高圧噴射工（セメント改良）であり、方法Ｄ−ａでは、上部方法：浅層混合処理工（範囲上部〜地表面）、底部方法：薬液注入工であり、方法Ｄ−ｂでは、上部方法：浅層混合処理工（範囲上部〜地表面）、底部方法：高圧噴射工（セメント改良）であり、方法Ｅ−ａでは、上部方法：鉄板−インゴット（上載荷重）、底部方法：薬液注入工であり、方法Ｅ−ｂでは、上部方法：鉄板−インゴット（上載荷重）、底部方法：高圧噴射工（セメント改良）である。
【００７４】
また、側部方法と底部方法の組み合わせを示すと表４のようになる。
【００７５】
【表４】
2018031134.tif 000006
【００７６】
すなわち、方法１−ａでは、側部方法：薬液注入工、底部方法：薬液注入工であり、方法１−ｂでは、側部方法：薬液注入工、底部方法：高圧噴射工（セメント改良）であり、方法２−ａでは、側部方法：高圧噴射工（セメント改良）、底部方法：薬液注入工であり、方法２−ｂでは、側部方法：高圧噴射工（セメント改良）、底部方法：高圧噴射工（セメント改良）であり、方法３−ａでは、側部方法：機械攪拌工（セメント改良）、底部方法：薬液注入工であり、方法３−ｂでは、側部方法：機械攪拌工（セメント改良）、底部方法：高圧噴射工（セメント改良）であり、方法４−ａでは、側部方法：シートパイル工、底部方法：薬液注入工であり、方法４−ｂでは、側部方法：シートパイル工、底部方法：高圧噴射工（セメント改良）である。
【００７７】
また、上部方法と側部方法と底部方法の組み合わせを示すと表５のようになる。
【００７８】
【表５】
2018031134.tif 000007
【００７９】
すなわち、方法Ａ−１−ａでは、上部方法：薬液注入工（範囲上部）、側部方法：薬液注入工、底部方法：薬液注入工であり、方法Ａ−２−ａでは、上部方法：薬液注入工（範囲上部）、側部方法：高圧噴射工（セメント改良）、底部方法：薬液注入工であり、方法Ａ−３−ａでは、上部方法：薬液注入工（範囲上部）、側部方法：機械攪拌工（セメント改良）、底部方法：薬液注入工であり、方法Ａ−４−ａでは、上部方法：薬液注入工（範囲上部）、側部方法：シートパイル工、底部方法：薬液注入工であり、方法Ｂ−１−ａでは、上部方法：浅層混合処理工（範囲上部〜）、側部方法：薬液注入工、底部方法：薬液注入工であり、方法Ｂ−２−ａでは、上部方法：浅層混合処理工（範囲上部〜）、側部方法：高圧噴射工（セメント改良）、底部方法：薬液注入工であり、方法Ｂ−３−ａでは、上部方法：浅層混合処理工（範囲上部〜）、側部方法：機械攪拌工（セメント改良）、底部方法：薬液注入工であり、方法Ｂ−４−ａでは、上部方法：浅層混合処理工（範囲上部〜）、側部方法：シートパイル工、底部方法：薬液注入工であり、方法Ｃ−１−ａでは、上部方法：表層混合処理工（地表面〜）、側部方法：薬液注入工、底部方法：薬液注入工であり、方法Ｃ−２−ａでは、上部方法：表層混合処理工（地表面〜）、側部方法：高圧噴射工（セメント改良）、底部方法：薬液注入工であり、方法Ｃ−３−ａでは、上部方法：表層混合処理工（地表面〜）、側部方法：機械攪拌工（セメント改良）、底部方法：薬液注入工であり、方法Ｃ−４−ａでは、上部方法：表層混合処理工（地表面〜）、側部方法：シートパイル工、底部方法：薬液注入工であり、方法Ｄ−１−ａでは、上部方法：浅層混合処理工（範囲上部〜地表面）、側部方法：薬液注入工、底部方法：薬液注入工であり、方法Ｄ−２−ａでは、上部方法：浅層混合処理工（範囲上部〜地表面）、側部方法：高圧噴射工（セメント改良）、底部方法：薬液注入工であり、方法Ｄ−３−ａでは、上部方法：浅層混合処理工（範囲上部〜地表面）、側部方法：機械攪拌工（セメント改良）、底部方法：薬液注入工であり、方法Ｄ−４−ａでは、上部方法：浅層混合処理工（範囲上部〜地表面）、側部方法：シートパイル工、底部方法：薬液注入工であり、方法Ｅ−１−ａでは、上部方法：鉄板−インゴット（上載荷重）、側部方法：薬液注入工、底部方法：薬液注入工であり、方法Ｅ−２−ａでは、上部方法：鉄板−インゴット（上載荷重）、側部方法：高圧噴射工（セメント改良）、底部方法：薬液注入工であり、方法Ｅ−３−ａでは、上部方法：鉄板−インゴット（上載荷重）、側部方法：機械攪拌工（セメント改良）、底部方法：薬液注入工であり、方法Ｅ−４−ａでは、上部方法：鉄板−インゴット（上載荷重）、側部方法：シートパイル工、底部方法：薬液注入工である。
【００８０】
また、方法Ａ−１−ｂでは、上部方法：薬液注入工（範囲上部）、側部方法：薬液注入工、底部方法：高圧噴射工（セメント改良）であり、方法Ａ−２−ｂでは、上部方法：薬液注入工（範囲上部）、側部方法：高圧噴射工（セメント改良）、底部方法：高圧噴射工（セメント改良）であり、方法Ａ−３−ｂでは、上部方法：薬液注入工（範囲上部）、側部方法：機械攪拌工（セメント改良）、底部方法：高圧噴射工（セメント改良）であり、方法Ａ−４−ｂでは、上部方法：薬液注入工（範囲上部）、側部方法：シートパイル工、底部方法：高圧噴射工（セメント改良）であり、Ｂ−１−ｂでは、上部方法：浅層混合処理工（範囲上部〜）、側部方法：薬液注入工、底部方法：高圧噴射工（セメント改良）であり、Ｂ−２−ｂでは、上部方法：浅層混合処理工（範囲上部〜）、側部方法：高圧噴射工（セメント改良）、底部方法：高圧噴射工（セメント改良）であり、Ｂ−３−ｂでは、上部方法：浅層混合処理工（範囲上部〜）、側部方法：機械攪拌工（セメント改良）、底部方法：高圧噴射工（セメント改良）であり、Ｂ−４−ｂでは、上部方法：浅層混合処理工（範囲上部〜）、側部方法：シートパイル工、底部方法：高圧噴射工（セメント改良）である。また、方法Ｃ−１−ｂでは、上部方法：表層混合処理工（地表面〜）、側部方法：薬液注入工、底部方法：高圧噴射工（セメント改良）であり、方法Ｃ−2 −ｂでは、上部方法：表層混合処理工（地表面〜）、側部方法：高圧噴射工（セメント改良）、底部方法：高圧噴射工（セメント改良）であり、方法Ｃ−３−ｂでは、上部方法：表層混合処理工（地表面〜）、側部方法：機械攪拌工（セメント改良）、底部方法：高圧噴射工（セメント改良）であり、方法Ｃ−４−ｂでは、上部方法：表層混合処理工（地表面〜）、側部方法：シートパイル工、底部方法：高圧噴射工（セメント改良）である。また、方法Ｄ−１−ｂでは、上部方法：浅層混合処理工（範囲上部〜地表面）、側部方法：薬液注入工、底部方法：高圧噴射工（セメント改良）であり、方法Ｄ−２−ｂでは、上部方法：浅層混合処理工（範囲上部〜地表面）、側部方法：高圧噴射工（セメント改良）、底部方法：高圧噴射工（セメント改良）であり、方法Ｄ−３−ｂでは、上部方法：浅層混合処理工（範囲上部〜地表面）、側部方法：機械攪拌工（セメント改良）、底部方法：高圧噴射工（セメント改良）であり、方法Ｄ−４−ｂでは、上部方法：浅層混合処理工（範囲上部〜地表面）、側部方法：シートパイル工、底部方法：高圧噴射工（セメント改良）であり、方法Ｅ−１−ｂでは、上部方法：鉄板−インゴット（上載荷重）、側部方法：薬液注入工、底部方法：高圧噴射工（セメント改良）であり、方法Ｅ−２−ｂでは、上部方法：鉄板−インゴット（上載荷重）、側部方法：高圧噴射工（セメント改良）、底部方法：高圧噴射工（セメント改良）であり、方法Ｅ−３−ｂでは、上部方法：鉄板−インゴット（上載荷重）、側部方法：機械攪拌工（セメント改良）、底部方法：高圧噴射工（セメント改良）であり、方法Ｅ−４−ｂでは、上部方法：鉄板−インゴット（上載荷重）、側部方法：シートパイル工、底部方法：高圧噴射工（セメント改良）である。
【００８１】
なお、本発明は上記実施例に限定されるものではなく、本発明の趣旨に基づき種々の変形が可能であり、これらを本発明の範囲から排除するものではない。
【産業上の利用可能性】
【００８２】
本発明の複合式脈状地盤改良工法は、動的注入の密実効果を注入範囲外に逃さない複合式脈状地盤改良工法として利用可能である。
【符号の説明】
【００８３】
１、７２、１１２  薬液注入工（溶液系または懸濁系）
２  造成又は設置される上部構築物
３、３３  脈状地盤改良工（注入範囲上部）
１１、５１  上部浅層混合処理工
１２  浅層混合処理工（セメント改良）
４１  上部表層混合処理工
４２、５２  表層混合処理工
４３  脈状地盤改良工（地表面〜１．０ｍ程度）
５１  上部表層混合処理工
５２  表層混合処理
５３、１０３、１１３、１２５  脈状地盤改良工
６１  上部処理工
６２、１２３  鉄板上に配置されるインゴット
６３、１２２  鉄板
６４  脈状地盤改良工（上載荷重）
７１  土被り圧が大きい薬液注入工
７３  側部薬液注入工
８１  土被り圧が大きい高圧噴射工
８２  側部高圧噴射工（注入範囲側部）
８３  脈状地盤改良工（注入範囲側部）
９１  土被り圧が大きい機械攪拌工
９２  側部機械攪拌工
９３  脈状地盤改良工
１０１  土被り圧が大きいシートパイル工（注入範囲側部）
１０２  シートパイル工  
１０３  脈状地盤改良工
１１１  上部薬注と側部薬注
１１３  脈状地盤改良工
１２１  上部荷重と側部シートパイル
１２４  側部シートパイル工
【図１】
2018031134.tif 000008
【図２】
2018031134.tif 000009
【図３】
2018031134.tif 000010
【図４】
2018031134.tif 000011
【図５】
2018031134.tif 000012
【図６】
2018031134.tif 000013
【図７】
2018031134.tif 000014
【図８】
2018031134.tif 000015
【図９】
2018031134.tif 000016
【図１０】
2018031134.tif 000017
【図１１】
2018031134.tif 000018
【図１２】
2018031134.tif 000019
【図１３】
2018031134.tif 000020
【図１４】
2018031134.tif 000021
【図１５】
2018031134.tif 000022